Podtech/llm-jp-corpus-v4-ja_patent huggingface dataset:
【手続補正書】
【提出日】平成21年3月17日(2009.3.17)
【手続補正１】
【補正対象書類名】特許請求の範囲
【補正対象項目名】全文
【補正方法】変更
【補正の内容】
【特許請求の範囲】
【請求項１】
最終ディジタル・カラー画像を形成する方法であって、
a）パンクロ画素と、少なくとも2通りのカラー光応答に対応するカラー画素とを含む画像をイメージ・センサーを用いて捕獲するステップと；
b）捕獲されたその画像から、ディジタル・パンクロ画像と中間ディジタル・カラー画像を生成させるステップと；
c）そのディジタル・パンクロ画像と中間ディジタル・カラー画像を用いて最終ディジタル・カラー画像を提供するステップを含む方法。
【請求項２】
ステップa）のイメージ・センサーの画素パターンが、4×4以上のサイズの最小繰り返し単位を含む、請求項1に記載の方法。
【請求項３】
上記最小繰り返し単位がさらに複数のセルに分割されていて、各セルは、少なくとも2つのパンクロ画素と、分光光応答が同じ少なくとも2つのカラー画素とを含んでいる、請求項2に記載の方法。
【請求項４】
ステップa）のイメージ・センサーの画素パターンが、8×8以上のサイズの最小繰り返し単位を含む、請求項2に記載の方法。
【請求項５】
上記最小繰り返し単位がさらに複数のセルに分割されていて、各セルは、少なくとも2つのパンクロ画素と、分光光応答が同じ少なくとも2つのカラー画素とを含んでいる、請求項4に記載の方法。
【請求項６】
イメージ・センサーを用いて捕獲されたカラー画像を処理することにより、さまざまな照明条件下で捕獲されたカラー画像をうまく再現できるようにする方法であって、
a）第1の画素群と第2の画素群を有する二次元画素アレイ（ただし、第1の画素群は第2の画素群よりも分光光応答が狭く、第1の画素群は、少なくとも2つの色のセットに対応する異なる分光光応答をする画素を含み、この画素アレイは、複数のセルの配置にされ、各セルは、第1の画素群に属していて分光光応答が同じ少なくとも2つの画素を含んでいる）から発生する信号によって表現される画像を捕獲するステップと；
b）各セル内の画素に関する信号のうちで第1の画素群からの同じ色の画素に対応する信号を用いて各セルに関する少なくとも1つの第1の信号を発生させるステップと；
c）各セルに関する第1の信号のセットと、第2の画素群の各画素に関する信号とを用い、照明条件の違いを相殺する調節されたカラー・ディジタル画像を生成させるステップを含む方法。
【請求項７】
ステップc）が、
i）第2の画素群からの画素に関する信号を用いて各セルに関する第2の信号を発生させ、
ii）各セルからの第1の信号および第2の信号と、隣接する少なくとも1つのセルからの第1の信号および第2の信号とを用いて各セルに関するカラー内挿信号のセットを発生させ、
iii）各セルに関するそのカラー内挿信号のセットと、第2の画素群の各画素に関する信号とを用い、照明条件の違いを相殺する調節されたカラー・ディジタル画像を生成させる操作を含む、請求項6に記載の方法。
【請求項８】
第1の画素群と第2の画素群のそれぞれに含まれる画素に関する信号がアナログ信号であり、そのアナログ信号をステップb）とステップc）i）で用いて各セルに関する第1の信号と第2の信号を発生させる、請求項7に記載の方法。
【請求項９】
上記アナログ信号が電荷であり、各セルに関する第1の信号と第2の信号が、電荷を加算することによって発生する、請求項8に記載の方法。
【請求項１０】
上記アナログ信号が電圧を発生させ、各セルに関する第1の信号と第2の信号が、電圧を加算することによって発生する、請求項8に記載の方法。
【請求項１１】
イメージ・センサーを用いて捕獲されたカラー画像を処理することにより、さまざまな照明条件下で捕獲されたカラー画像をうまく再現できるようにする方法であって、
a）イメージ・センサー（ただし、このイメージ・センサーは、信号を発生させる第1の画素群と第2の画素群からなる二次元画素アレイであり、第1の画素群は第2の画素群よりも分光光応答が狭く、第1の画素群は、分光光応答が互いに異なっていて少なくとも2つのカラー・フィルタのセットに対応する複数の画素を含み、第2の画素群は高解像度パンクロ画像を規定する）を用いて信号によって表現される画像を捕獲するステップと；
b）各セル内の第1の画素群に属する似た色の画素からの第1の信号を足し合わせて低解像度低密度カラー画素を形成するステップと；
c）高解像度パンクロ画像に含まれる第2の画素群の画素からの第2の信号を用い、第1の画素群の画素に対応する画素値を内挿し、内挿された高解像度パンクロ画像を提供するステップと；
d）低解像度低密度カラー画素と内挿された高解像度パンクロ画像を用いて高解像度カラー画像を生成させるステップを含む方法。
【請求項１２】
イメージ・センサーを用いて捕獲されたカラー画像を処理することにより、さまざまな照明条件下で捕獲されたカラー画像をうまく再現できるようにする方法であって、
a）第1の画素群と第2の画素群からなる二次元画素アレイ（ただし、第1の画素群からの画素は第2の画素群からの画素よりも分光光応答が狭く、第1の画素群の個々の画素は、少なくとも2つの色のセットに対応する分光光応答を持ち、第1の画素群と第2の画素群の配置が、少なくとも12個の画素を含む最小繰り返し単位を持つあるパターンを規定していて、その最小繰り返し単位は複数のセルを含んでおり、各セルは、第2の画素群の中から選択した複数の画素と、第1の画素群の中から選択した、特定の1つの色に対応していて分光光応答が同じ少なくとも2つの画素とを持つ）によって生成された信号によって表わされる画像を捕獲するステップと；
b）各セル内の画素に関する信号のうちで第1の画素群に属する似た色の画素に対応する信号を用いて各セルに関する少なくとも1つの第1の信号を発生させるステップと；
c）各セルに関する第1の信号のセットと、第2の画素群の各画素に関する信号とを用い、照明条件の違いを相殺する調節されたカラー・ディジタル画像を生成させるステップを含む方法。
【手続補正書】
【提出日】平成21年7月6日(2009.7.6)
【手続補正１】
【補正対象書類名】特許請求の範囲
【補正対象項目名】全文
【補正方法】変更
【補正の内容】
【特許請求の範囲】
【請求項１】
離散Ｘ線ピクセルサイトの二次元配列であって、各ピクセルサイトが、（ａ）当該ピクセルサイト上のＸ線フルエンスに比例した電荷を蓄積する電荷蓄積要素と、（ｂ）蓄積電荷／時間変換回路を有するアナログ／デジタル変換器を含む回路手段と、を含むことで、前記蓄積要素上のＸ線フルエンスに比例した電荷を、対応するデジタルデータに変換する、離散Ｘ線検出ピクセルサイトの二次元配列と、
ピクセルサイトの配列上のＸ線フルエンスの二次元画像を表す順序付きデータマトリクスに前記デジタルデータを配列して、前記各ピクセルサイトからデータ記憶媒体に前記デジタルデータを送信する読み出しエレクトロニクスと、
を含む、デジタル放射線撮影に用いる、低雑音の電子データ取り込みと読み出しを行うシステム。
【請求項２】
（ａ）基板と、
（ｂ）各ピクセルサイトが、第１階層と、前記基板の反対側に形成される第２階層と、を含む、離散Ｘ線検出ピクセルサイトの二次元配列と、を含み、
前記第１階層は、（ｉ）Ｘ線感応取り込み媒体と、（ｉｉ）前記ピクセルサイトのＸ線フルエンスに比例した電荷を取り込み媒体に蓄積する電荷蓄積要素と、（ｉｉｉ）蓄積電荷／時間変換回路を有する集積回路手段と、を含み、
前記第２階層は、前記基板を介して、アナログ／デジタル変換器と、前記変換器と前記蓄積電荷／時間変換回路とを基板を介して接続する信号結合手段と、を含むと共に、前記蓄積要素上のＸ線フルエンスに比例した電荷を、対応するデジタルデータに変換し、
更に、
（ｃ）前記ピクセルサイトの配列上のＸ線フルエンスの二次元画像を表す順序付きデータマトリクスに前記デジタルデータを配列して、前記各ピクセルサイトからデータ記憶媒体に前記デジタルデータを送信する読み出しエレクトロニクスを含む、デジタル放射線撮影に用いる、低雑音の電子データ取り込みと読み出しを行うシステム。
【請求項３】
それぞれが電子蓄積要素と、蓄積電荷／時間変換回路と、アナログ／デジタル変換器とを含む複数のピクセルサイトが設けられた、低雑音のデジタル放射線撮影システム用の画像形成パネルを駆動して、前記パネル上のピクセルサイト内の暗電流値を補正する方法であって、
患者へのＸ線の照射に先立つ暗電流キャリブレーション期間において、
（ａ）暗電流が生成する電荷を前記蓄積要素に蓄積するステップと、
（ｂ）前記暗電流の電荷を第１の時間値に変換するステップと、
（ｃ）前記ピクセルサイトにおいて、前記第１の時間値を暗電流デジタル値に変換するステップと、
（ｄ）前記暗電流デジタル値を蓄積するステップと、を含み、
患者へのＸ線照射後の期間において、
（ｅ）前記ピクセルサイトにおける、暗電流電荷と、衝突するＸ線によって生成される電荷との組み合わせを表す、蓄積要素の累積電荷を生成するステップと、
（ｆ）前記累積電荷を第２の時間値に変換するステップと、
（ｇ）前記ピクセルサイトにおいて、前記第２の時間値を累積デジタル値に変換するステップと、
（ｈ）蓄積された前記暗電流デジタル値と、前記累積デジタル値とを組み合わせて、患者へのＸ線照射から生成された衝突するＸ線を表す残余デジタル値を生成するステップと、
を含む方法。
【手続補正２】
【補正対象書類名】明細書
【補正対象項目名】発明の名称
【補正方法】変更
【補正の内容】
【発明の名称】デジタル放射線撮影での低雑音データ取り込みを行うシステムおよび方法
【手続補正書】
【提出日】平成21年6月30日(2009.6.30)
【手続補正１】
【補正対象書類名】特許請求の範囲
【補正対象項目名】全文
【補正方法】変更
【補正の内容】
【特許請求の範囲】
【請求項１】
ネットワークにおいてビデオデータの伝送を制御する方法であって、
前記ネットワークを介し受信機にビデオデータを送信するステップと、
前記受信機により測定されるチャネルパラメータ情報を受信するステップと、
前記受信機から前記チャネルパラメータ情報を受信する際の遅延時間を補償するため、前記チャネルパラメータ情報に予測ファンクションを適用し、フィードバックファンクションを生成するステップと、
ネットワーク状態を補償するよう前記フィードバックファンクションに応答して送信されるビデオデータを調整するステップと、
を有する方法。
【請求項２】
前記予測ファンクションは、前記ネットワーク状態の統計モデルに基づく、請求項１記載の方法。
【請求項３】
前記調整するステップは、前記ビデオエンコーダにおいて量子化パラメータを調整することから構成される、請求項１記載の方法。
【請求項４】
前記調整するステップは、前記ビデオデータストリームに含まれる誤り訂正データを調整することから構成される、請求項１記載の方法。
【請求項５】
ネットワークを介し受信機にストリーミングビデオを提供する送信機であって、
出力を有するエンコーダと、
前記エンコーダの出力に接続される入力を有するトラフィック整形手段と、
前記エンコーダと前記トラフィック整形手段の少なくとも１つに接続されるコントローラと、
を有し、
前記コントローラは、前記ネットワークの少なくとも１つの実際のパラメータとチャンネルモデルとに従って、前記エンコーダと前記トラフィック整形手段との少なくとも１つの処理を予測的に変更する送信機。
【請求項６】
前記コントローラは、前記ネットワーク状態の統計モデルに基づき予測的に変更する、請求項５記載の送信機。
【請求項７】
前記コントローラは、前記エンコーダと前記トラフィック整形手段とに接続される、請求項６記載の送信機。
【請求項８】
前記コントローラは、前記エンコーダと前記トラフィック整形手段の両方の処理を変更する、請求項７記載の送信機。
【請求項９】
前記ネットワークの少なくとも１つの実際のパラメータは、チャネル品質を示す少なくとも１つのパラメータを有する、請求項５記載の送信機。
【請求項１０】
前記ネットワークの少なくとも１つの実際のパラメータは、ビットエラーレートを示す少なくとも１つのパラメータを有する、請求項５記載の送信機。
【手続補正書】
【提出日】平成21年6月24日(2009.6.24)
【手続補正１】
【補正対象書類名】特許請求の範囲
【補正対象項目名】全文
【補正方法】変更
【補正の内容】
【特許請求の範囲】
【請求項１】
局部発振器信号を受信して、変調された信号群を、ＲＦダウンコンバータに結合された出力で出力する変調器であって、前記局部発振器信号の選択周波数は制御信号により設定される、前記変調器と、
前記制御信号により設定された選択周波数に同調可能な可変リアクタンス回路を具備した、前記変調器出力に結合されたバンドパスフィルタと、を備えた、
位相回転器。
【請求項２】
バンドパスフィルタの中心周波数を制御する方法であって、
制御信号を第１の入力で受信する工程と、  
変調された信号を第２の入力で受信する工程と、  
前記制御信号に応じて可変リアクタンス回路を選択周波数に同調させ、前記制御信号が、前記変調された信号を生成するために用いる局部発振器信号の選択周波数を指定する工程と、
前記同調された可変リアクタンス回路を前記第２の入力に結合する工程と、    前記同調された可変リアクタンス回路を用いて前記変調された信号をフィルタリングする工程と、
前記制御信号に指定された選択周波数にもう１つの可変リアクタンス回路を同調させる工程と、
前記回路を前記第２の入力に対して並列に結合する工程と、
を含む方法。
【請求項３】
バンドパスフィルタの中心周波数を制御する方法であって、
制御信号を第１の入力で受信する工程と、  
変調された信号を第２の入力で受信する工程と、  
前記制御信号に応じて可変リアクタンス回路を選択周波数に同調させ、前記制御信号が、前記変調された信号を生成するために用いる局部発振器信号の選択周波数を指定する工程と、
前記同調された可変リアクタンス回路を前記第２の入力に結合する工程と、    前記同調された可変リアクタンス回路を用いて前記変調された信号をフィルタリングする工程と、
前記変調された信号変調器を増幅する工程と、
前記可変リアクタンス回路に結合された無線周波数の差分信号群を生成する工程と、
を含む方法。
【請求項４】
バンドパスフィルタの中心周波数を制御する方法であって、
制御信号を第１の入力で受信する工程と、  
変調された信号を第２の入力で受信する工程と、  
前記制御信号に応じて可変リアクタンス回路を選択周波数に同調させ、前記制御信号が、前記変調された信号を生成するために用いる局部発振器信号の選択周波数を指定する工程と、
前記同調された可変リアクタンス回路を前記第２の入力に結合する工程と、    前記同調された可変リアクタンス回路を用いて前記変調された信号をフィルタリングする工程と、
前記変調された信号を得るために直交変調を行う工程と、
を含む方法。
【請求項５】
バンドパスフィルタの中心周波数を制御する方法であって、
制御信号を第１の入力で受信する工程と、  
変調された信号を第２の入力で受信する工程と、  
前記制御信号に応じて可変リアクタンス回路を選択周波数に同調させ、前記制御信号が、前記変調された信号を生成するために用いる局部発振器信号の選択周波数を指定する工程と、
前記同調された可変リアクタンス回路を前記第２の入力に結合する工程と、    前記同調された可変リアクタンス回路を用いて前記変調された信号をフィルタリングする工程と、
前記フィルタリングされた変調された信号を用いて、カーテシアン・フィードバック電力増幅を行う工程と、
を含む方法。
【手続補正書】
【提出日】平成21年6月30日(2009.6.30)
【手続補正１】
【補正対象書類名】特許請求の範囲
【補正対象項目名】全文
【補正方法】変更
【補正の内容】
【特許請求の範囲】
【請求項１】
標的被害者に対するサービス不能（ＤｏＳ）攻撃から防御する完全に自動化された方法であって、該方法は、ＩＰパケットを該標的被害者に送信することによってパケットベース通信サービスを前記標的被害者に提供するパケットベース・キャリアネットワークにおいて実施され、そして、前記標的被害者がそれに関連付けられた１以上のＩＰアドレスを有しており、該方法は、
ＤｏＳ攻撃が前記標的被害者に対して行われていることを申し立てる自動指示を前記標的被害者から受信するステップと、
前記標的被害者から、送信が制限されるべきであるＩＰパケットを表すＩＰアドレスの１以上の対を受信するステップとを含み、ＩＰアドレスの前記対のそれぞれがソースＩＰアドレス及び宛先ＩＰアドレスを備え、前記宛先ＩＰアドレスが前記標的被害者に関連付けられた前記ＩＰアドレスの１つであり、該方法はさらに、
前記標的被害者から受信されたＩＰアドレスの前記対の１つを構成する前記ソースＩＰアドレス及び前記宛先ＩＰアドレスに等しいソースＩＰアドレス及び宛先ＩＰアドレスを有するＩＰパケットを識別するために、前記キャリアネットワークの少なくとも一部を通るＩＰパケットのトラフィックを監視するステップと、
前記標的被害者から受信されたＩＰアドレスの前記対の１つを構成する前記ソースＩＰアドレス及び前記宛先ＩＰアドレスに等しいソースＩＰアドレス及び宛先ＩＰアドレスを有し、かつ送信が制限されるべきであるＩＰパケットを表す前記識別されたＩＰパケットの送信を制限するステップと
を含む方法。
【請求項２】
請求項１記載の方法において、前記標的被害者から受信されたＩＰアドレスの前記対の１つを構成する前記ソースＩＰアドレス及び前記宛先ＩＰアドレスに等しいソースＩＰアドレス及び宛先ＩＰアドレスを有する前記識別されたＩＰパケットの送信を制限するステップが、前記識別されたＩＰパケットの前記送信を防止するステップを含む方法。
【請求項３】
請求項１記載の方法において、前記標的被害者から受信されたＩＰアドレスの前記対の１つを構成する前記ソースＩＰアドレス及び前記宛先ＩＰアドレスに等しいソースＩＰアドレス及び宛先ＩＰアドレスを有する前記識別されたＩＰパケットの送信を制限するステップが、前記識別されたＩＰパケットの経路指定優先順位を下げるステップを含む方法。
【請求項４】
請求項１記載の方法において、前記標的被害者から受信されたＩＰアドレスの前記対の１つを構成する前記ソースＩＰアドレス及び前記宛先ＩＰアドレスに等しいソースＩＰアドレス及び宛先ＩＰアドレスを有する前記識別されたＩＰパケットの送信を制限するステップが、所定のパケット率を超えないように前記識別されたＩＰパケットの送信を制限するステップを含む方法。
【請求項５】
請求項１記載の方法において、前記ＩＰアドレスの１以上の対を前記標的被害者から受信するステップが、セキュリティ署名を使用してＩＰアドレスの１以上の対を前記標的被害者から受信するステップを含む方法。
【請求項６】
請求項１記載の方法において、前記ＩＰアドレスの１以上の対を前記標的被害者から受信するステップが、前記標的被害者からの冗長接続を使用してＩＰアドレスの１以上の対を前記標的被害者から受信するステップを含む方法。
【請求項７】
請求項１記載の方法において、前記ＩＰアドレスの１以上の対を前記標的被害者から受信するステップが、冗長通信プロトコルを使用してＩＰアドレスの１以上の対を前記標的被害者から受信するステップを含む方法。
【請求項８】
請求項１記載の方法であって、さらに、ＩＰアドレスの前記対の前記１つが前記標的被害者から受信されてから所定の時間期間が経過した後、前記標的被害者から受信されたＩＰアドレスの前記対の前記１つを構成する前記ソースＩＰアドレス及び前記宛先ＩＰアドレスに等しいソースＩＰアドレス及び宛先ＩＰアドレスを有する前記識別されたＩＰパケットの１以上の送信を制限することを終了するステップを含む方法。
【請求項９】
請求項１記載の方法であって、さらに、
送信がもはや制限されないＩＰパケットを表すＩＰアドレスの１以上の対を前記標的被害者から受信するステップと、
前記標的被害者から受信され、かつ送信がもはや制限されないＩＰパケットを表すＩＰアドレスの前記対の前記１つを構成する前記ソースＩＰアドレス及び前記宛先ＩＰアドレスに等しいソースＩＰアドレス及び宛先ＩＰアドレスを有する前記ＩＰパケットの前記送信を制限することを中断するステップとを含む方法。
【請求項１０】
請求項１記載の方法であって、さらに、前記標的被害者から受信され、かつ送信がもはや制限されないＩＰパケットを表すＩＰアドレスの前記対の１つを構成する前記ソースＩＰアドレス及び前記宛先ＩＰアドレスに等しいソースＩＰアドレス及び宛先ＩＰアドレスを有する前記識別されたＩＰパケットの１以上の前記ソースＩＰアドレスに、不到着メッセージを送り返すステップを含む方法。
【手続補正書】
【提出日】平成21年6月22日(2009.6.22)
【手続補正１】
【補正対象書類名】特許請求の範囲
【補正対象項目名】全文
【補正方法】変更
【補正の内容】
【特許請求の範囲】
【請求項１】
方法であって、
基地局において、該基地局のカバレッジエリア内に少なくとも部分的に位置する危険区域内で緊急事態が発生し又は発生するおそれがあると断定されたときに送信された信号の受信信号に応じて、該基地局のカバレッジエリア内に位置する少なくとも１つの移動体端末を、該少なくとも１つの移動体端末が無線通信ネットワークを介して入着メッセージを受信することを阻止される動作モードで無効化するが、該移動体端末のユーザが発信メッセージを送信することを妨げない、無効化ステップからなり、該基地局は、該少なくとも１つの移動体端末が該ネットワークを介して情報を送信するために通信相手となる、該ネットワークの中央化された要素である方法。
【請求項２】
請求項１の方法において、該メッセージが呼である方法。
【請求項３】
請求項１の方法において、該無効化ステップが該基地局のページング機能を無効化することからなる方法。
【手続補正書】
【提出日】平成21年8月7日(2009.8.7)
【手続補正１】
【補正対象書類名】特許請求の範囲
【補正対象項目名】全文
【補正方法】変更
【補正の内容】
【特許請求の範囲】
【請求項１】
パンニングされた菓子製品であって、
表面に色付けコーティングを有するチョコレート片を含み、ここで前記色付けコーティングが、
（ａ）約１５０μｍ未満の平均粒度を有し、前記チョコレート片の表面に無秩序に分散して前記表面に亘り着色剤の粒子濃度に無秩序なばらつきを提供する、着色剤粒子と、
（ｂ）チョコレート用光沢剤および菓子用のシロップからなる群より選択される色付けコーティング溶液と、
を含むことを特徴とする菓子製品。
【請求項２】
前記色付けコーティングを囲む菓子用のシロップの保護コーティング剤をさらに含むことを特徴とする請求項１記載の製品。
【請求項３】
前記チョコレート片が、ナッツ、ナッツ派生物、果物、果物派生物、クッキー片、キャラメル、ヌガー、および麦芽乳ボールからなる群より選択される１種類以上の内包物を有することを特徴とする請求項１記載の製品。
【請求項４】
前記色付けコーティングが１種類以上の香味料成分を含むことを特徴とする請求項１記載の製品。
【請求項５】
前記チョコレート片が、複数回、連続して塗布された色付けコーティングを含むことを特徴とする請求項１記載の製品。
【請求項６】
前記パンニングされた菓子製品の前記表面に、２色以上が現れることを特徴とする請求項１記載の製品。
【請求項７】
パンニングされた菓子製品の製造方法であって、
（ａ）大量のチョコレート片を混合用の鍋に提供し、
（ｂ）前記混合用の鍋の中で前記大量のチョコレート片を混合し、
（ｃ）チョコレート用光沢剤または菓子用のシロップからなる群より選択される色付けコーティング溶液を、チョコレート片を濡らすのに十分な量で、前記大量のチョコレート片に塗布し、
（ｄ）約１５０μｍ未満の平均粒度を有する食品用乾燥着色剤を濡れた前記チョコレート片に塗付し、それによって、着色された小片を形成し、ここで前記着色剤が、前記チョコレート片に無秩序に分散されて、前記チョコレート片全般にわたる着色剤粒子密度に無秩序なばらつきを提供し、
（ｅ）前記混合用の鍋に乾性ガスを導入することによって前記着色されたチョコレート片を乾燥し、それによって、前記チョコレート片全般にわたる着色剤の粒子密度に無秩序なばらつきを有する、乾燥および着色されたチョコレート片を形成し、
（ｆ）必要に応じて、工程（ｃ）、（ｄ）および（ｅ）を少なくとも１回繰り返す、
各工程を有してなる方法。
【請求項８】
工程（ｆ）で塗布される前記食品用の乾燥着色剤が、工程（ｄ）で塗布される食品用の乾燥着色剤と異なる色であることを特徴とする請求項７記載の方法。
【請求項９】
工程（ｅ）または（ｆ）の後、菓子用のシロップである保護コーティング剤を塗付する工程をさらに含むことを特徴とする請求項７記載の方法。
【請求項１０】
前記チョコレート片が、実質的に、前記色付けコーティング溶液および、前記食品用の乾燥着色剤でコーティングされ、前記チョコレートが前記パンニングされた菓子製品の表面に現れないことを特徴とする請求項７記載の方法。
【請求項１１】
前記食品用の乾燥着色剤が、顔料、レーキ顔料、または粉末染料であることを特徴とする請求項７記載の方法。
【請求項１２】
パンニングされた菓子製品であって、
（ａ）大量のチョコレート片を混合用の鍋に提供し、
（ｂ）前記混合用の鍋の中で前記大量のチョコレート片を混合し、
（ｃ）チョコレート用光沢剤または菓子用のシロップからなる群より選択される色付けコーティング溶液を、チョコレート片を濡らすのに十分な量で、前記大量のチョコレート片に塗布し、
（ｄ）約１５０μｍ未満の平均粒度を有する食品用乾燥着色剤を、濡れた前記チョコレート片に塗付し、それによって、着色されたチョコレート片を形成し、ここで前記着色剤が、前記チョコレート片に無秩序に分散されて、前記チョコレート片全般にわたる着色剤粒子密度に無秩序なばらつきを提供し、
（ｅ）前記混合用の鍋に乾性ガスを導入することによって前記着色されたチョコレート片を乾燥し、それによって、前記チョコレート片全般にわたる着色剤の粒子密度に無秩序なばらつきを有する、乾燥および着色されたチョコレート片を形成し、
（ｆ）必要に応じて、工程（ｃ）、（ｄ）および（ｅ）を少なくとも１回繰り返す、
各工程を有してなる方法によって調製された、製品。
【請求項１３】
前記方法が、工程（ｅ）または（ｆ）の後、菓子用のシロップの保護コーティング剤を塗付する工程をさらに含むことを特徴とする請求項１２記載の製品。
【請求項１４】
パンニングされた菓子製品の製造方法であって、
（ａ）大量のチョコレート片を混合用の鍋に提供し、
（ｂ）前記混合用の鍋の中で前記大量のチョコレート片を混合し、
（ｃ）効果的な量のチョコレート用光沢剤または菓子用のシロップからなる群より選択される色付けコーティング溶液と、効果的な量の食品用着色剤とを同時に、前記大量のチョコレート片に塗布し、それによって着色されたチョコレート片を形成し、ここで前記着色剤が、前記チョコレート片に無秩序に分散されて、前記チョコレート片全般にわたる着色剤粒子密度に無秩序なばらつきを提供し、
（ｄ）前記混合用の鍋に乾性ガスを導入することによって前記着色されたチョコレート片を乾燥し、それによって、前記チョコレート片全般にわたる着色剤の粒子密度に無秩序なばらつきを有する、乾燥および着色されたチョコレート片を形成し、
（ｅ）必要に応じて、工程（ｃ）および（ｄ）を少なくとも１回、繰り返す、
各工程を有してなる方法。
【請求項１５】
工程（ｅ）で塗布される前記食品用着色剤が工程（ｃ）で塗付される食品用着色剤と同色であることを特徴とする請求項１４記載の方法。
【請求項１６】
工程（ｄ）または（ｅ）の後、前記乾燥および着色されたチョコレート片に菓子用のシロップである保護コーティング剤を塗付する工程をさらに含むことを特徴とする請求項１４記載の方法。
【請求項１７】
前記食品用着色剤が液体懸濁液、溶液、または粉末であることを特徴とする請求項１４記載の方法。
【請求項１８】
前記食品用着色剤が約１５０μｍ未満の平均粒度を有する粉末であることを特徴とする請求項１４記載の方法。
【手続補正書】
【提出日】平成21年7月24日(2009.7.24)
【手続補正１】
【補正対象書類名】特許請求の範囲
【補正対象項目名】全文
【補正方法】変更
【補正の内容】
【特許請求の範囲】
【請求項１】
式ＣＡＮ１（式中、Ｎ１はＣ又はＴである）、式ＣＣＮ２（式中、Ｎ２はＡ又はＴである）、あるいは式ＣＴＮ３（式中、Ｎ３はＡ又はＴである）の標的ヌクレオチドに優先的に結合するジンクフィンガーヌクレオチド結合領域を含む、天然に存在しないジンクフィンガーヌクレオチド結合ポリペプチド。
【請求項２】
前記標的ヌクレオチド配列が、式ＣＡＣ又はＣＡＴを有する、請求項１に記載のポリペプチド。
【請求項３】
前記標的ヌクレオチド配列が、式ＣＣＡ又はＣＣＴを有する、請求項１に記載のポリペプチド。
【請求項４】
前記標的ヌクレオチド配列が、式ＣＴＡ又はＣＴＴを有する、請求項１に記載のポリペプチド。
【請求項５】
前記結合領域が、配列番号７７〜８２、１３４、１３８、１４１又は１４６の何れかのアミノ酸配列を有する、請求項１に記載のポリペプチド。
【請求項６】
前記結合領域が、配列番号７７〜８２、１３４、１３８、１４１又は１４６の何れかのアミノ酸配列と、２個以下の保存的アミノ酸置換でしか異ならないアミノ酸配列結合領域であって、解離定数が該置換前のポリペプチドの解離定数の１２５％以下であり、且つ保存的アミノ酸置換が、以下の置換：Ａｌａ／Ｇｌｙ又はＳｅｒ；Ａｒｇ／Ｌｙｓ；Ａｓｎ／Ｇｌｎ又はＨｉｓ；Ａｓｐ／Ｇｌｕ；Ｃｙｓ／Ｓｅｒ；Ｇｌｎ／Ａｓｎ；Ｇｌｙ／Ａｓｐ；Ｇｌｙ／Ａｌａ又はＰｒｏ；Ｈｉｓ／Ａｓｎ又はＧｌｎ；Ｉｌｅ／Ｌｅｕ又はＶａｌ；Ｌｅｕ／Ｉｌｅ又はＶａｌ；Ｌｙｓ／Ａｒｇ又はＧｌｎ又はＧｌｕ；Ｍｅｔ／Ｌｅｕ又はＴｙｒ又はＩｌｅ；Ｐｈｅ／Ｍｅｔ又はＬｅｕ又はＴｙｒ；Ｓｅｒ／Ｔｈｒ；Ｔｈｒ／Ｓｅｒ；Ｔｒｐ／Ｔｙｒ；Ｔｙｒ／Ｔｒｐ又はＰｈｅ；Ｖａｌ／Ｉｌｅ又はＬｅｕの１つである、アミノ酸配列結合領域、
を有する、請求項１に記載のポリペプチド。
【請求項７】
前記ヌクレオチド結合領域が、ＳＰ１Ｃ、ＴＦＩＩＩＡ及びＺｉｆ２６８からなる群から選択される、天然に存在するジンクフィンガータンパク質の配列に結合している、請求項１に記載のポリペプチド。
【請求項８】
請求項１に記載のポリペプチドを複数含むポリペプチド組成物であって、該ポリペプチドが互いに作動可能に結合している、ポリペプチド組成物。
【請求項９】
前記ポリペプチドが、５〜１５個のアミノ酸残基のフレキシブルペプチドリンカーを介して作動可能に結合する、請求項８に記載のポリペプチド組成物。
【請求項１０】
前記リンカーが配列番号３０及び配列番号１３３からなる群から選択される配列を有する、請求項８に記載のポリペプチド組成物。
【請求項１１】
前記組成物が２〜１２個のポリペプチドを含む、請求項８に記載のポリペプチド組成物。
【請求項１２】
前記組成物が２〜６個のポリペプチドを含む、請求項１１に記載のポリペプチド組成物。
【請求項１３】
前記ヌクレオチド結合領域が、ＳＰ１Ｃ、ＴＦＩＩＩＡ及びＺｉｆ２６８からなる群から選択される、天然に存在するジンクフィンガータンパク質の配列に結合している、請求項９に記載のポリペプチド組成物。
【請求項１４】
１個以上の転写調節因子と作動可能に結合されている、請求項１に記載のポリペプチドまたは請求項８に記載のポリペプチド組成物。
【請求項１５】
前記転写調節因子が転写のレプレッサーである、請求項１４に記載のポリペプチドまたはポリペプチド組成物。
【請求項１６】
前記転写調節因子が転写のアクチベーターである、請求項１４に記載のポリペプチドまたはポリペプチド組成物。
【請求項１７】
請求項１に記載のポリペプチド、請求項８に記載の組成物中の複数のポリペプチドのうちの１つをコードする、単離精製ポリヌクレオチド、またはそれらに少なくとも９５％同一な核酸配列であって、請求項１に記載のポリペプチドの特異的核酸結合活性を有するポリペプチドをコードする、核酸配列。
【請求項１８】
請求項１７に記載の単離精製ポリヌクレオチドを含むベクター。
【請求項１９】
請求項１８に記載のベクター又は請求項１７に記載のポリヌクレオチドで形質転換又は形質導入した宿主細胞。
【請求項２０】
真核生物である、請求項１９に記載の宿主細胞。
【請求項２１】
原核細胞である、請求項１９に記載の宿主細胞。
【請求項２２】
配列５’−（ＣＮＮ）ｎ−３’（式中、ｎは２〜１２である）を含有するヌクレオチド配列の発現を調節するプロセスであって、該ヌクレオチド配列を請求項１に記載のポリペプチド又は請求項８に記載のポリペプチド組成物の有効量に曝露することを含む、プロセス。
【請求項２３】
前記配列５’−（ＣＮＮ）ｎ−３’が前記ヌクレオチド配列の転写領域に位置する、請求項２２に記載のプロセス。
【請求項２４】
前記配列５’−（ＣＮＮ）ｎ−３’が前記ヌクレオチド配列のプロモーター領域に位置する、請求項２２に記載のプロセス。
【請求項２５】
前記配列５’−（ＣＮＮ）ｎ−３’が発現配列タグ内に位置する、請求項２２に記載のプロセス。
【請求項２６】
前記ポリペプチド組成物の少なくとも１つが１個以上の転写調節因子に作動可能に結合する、請求項２２に記載のプロセス。
【請求項２７】
前記転写調節因子が転写のレプレッサーである、請求項２６に記載のプロセス。
【請求項２８】
前記転写調節因子が転写のアクチベーターである、請求項２６に記載のプロセス。
【請求項２９】
前記ヌクレオチド配列が遺伝子である、請求項２２に記載のプロセス。
【請求項３０】
前記遺伝子が真核細胞遺伝子、原核細胞遺伝子又はウイルス遺伝子である、請求項２９に記載のプロセス。
【請求項３１】
前記真核細胞遺伝子が哺乳動物遺伝子または植物遺伝子である、請求項３０に記載のプロセス。
【請求項３２】
前記哺乳動物遺伝子がヒト遺伝子である、請求項３１に記載のプロセス。
【請求項３３】
前記原核細胞遺伝子が細菌遺伝子である、請求項３０に記載のプロセス。
【請求項３４】
（ａ）治療有効量の請求項１に記載のポリペプチド、又は請求項８に記載のポリペプチド組成物；及び
（ｂ）薬学的に許容される担体
を含む、薬学的組成物。
【請求項３５】
（ａ）治療有効量の請求項１７に記載のポリヌクレオチド；及び
（ｂ）薬学的に許容される担体
を含む、薬学的組成物。
【手続補正書】
【提出日】平成21年10月5日(2009.10.5)
【手続補正１】
【補正対象書類名】特許請求の範囲
【補正対象項目名】全文
【補正方法】変更
【補正の内容】
【特許請求の範囲】
【請求項１】
縦軸線を有するタバコロッドと、
前記タバコロッドを取り囲み、少なくとも２０Ｃｏｒｅｓｔａ単位の空隙率を有し、室温まで冷却された時にゲル化するゲル化フィルム形成組成物を用いて印刷された少なくとも１つの層を各々が有して該タバコロッドに沿って離間した複数のバンドを有し、かつ該バンドを通る紙の空隙率が０から約１５Ｃｏｒｅｓｔａ単位の範囲に入る包装紙と、
を含むことを特徴とするシガレット。
【請求項２】
約２０Ｃｏｒｅｓｔａ単位を超える空隙率を有する紙ウェブと、
前記ウェブ上の複数のバンドと、
を含み、
前記バンドは、互いにほぼ平行あり、かつ該バンドの幅を超えるがシガレットタバコロッドの公称長さ未満の公称距離だけ離間しており、各バンドは、室温まで冷却された時にゲル化するゲル化フィルム形成組成物を含み、かつ少なくとも２つの層を有し、該バンド及び下に重なる紙を通る空隙率は、０から約１５Ｃｏｒｅｓｔａ単位の範囲内である、
ことを特徴とするシガレット包装紙。
【請求項３】
各バンドの層が、水溶性フィルム形成化合物を含むことを特徴とする請求項２に記載のシガレット包装紙。
【請求項４】
各バンドの層が、０．５ｇ／ｍ2から１５ｇ／ｍ2の範囲の複合被膜重量を有することを特徴とする請求項２または請求項３のいずれか１つの請求項に記載のシガレット包装紙。
【請求項５】
第１の層が、シガレット包装紙に接触し、第２の層が、該第１の層上にあることを特徴とする請求項２から請求項４のいずれか１項に記載のシガレット包装紙。
【請求項６】
水と、
約２０重量％から約５０重量％のフィルム形成化合物と、
を含み、
４０℃から９０℃の範囲の温度で約０．１Ｐａ・ｓ（１００ｃＰ）未満の粘性、及び約２３℃の温度で約０．２Ｐａ・ｓ（２００ｃＰ）を超える粘性を有する、
ことを特徴とする、シガレット紙のための印刷組成物。
【請求項７】
バンド付きシガレット紙を製造する方法であって、
シガレット紙を第１の印刷ステーションに進める段階と、
フィルム形成組成物を加熱する段階、
前記加熱したフィルム形成組成物をパターン化グラビアシリンダに付加する段階、
前記進んでいるシガレット紙を前記パターン化グラビアシリンダに接触させる段階、及び
前記フィルム形成組成物を、該フィルム形成組成物が前記シガレット紙の平面度を乱さないように該シガレット紙の表面に接触させることによってゲル化させる段階、
を含む、２０から５０重量％のフィルム形成化合物の粘性水溶液を含むフィルム形成組成物の第１の層を印刷する段階と、
前記フィルム形成組成物の少なくとも第２の層を前記第１の層上に印刷する段階と、
を含むことを特徴とする方法。
【手続補正書】
【提出日】平成21年6月26日(2009.6.26)
【手続補正１】
【補正対象書類名】特許請求の範囲
【補正対象項目名】全文
【補正方法】変更
【補正の内容】
【特許請求の範囲】
【請求項１】
SEQ ID NO:1に記載されたヌクレオチド配列に対して少なくとも60%のヌクレオチド配列同一性を有する、イソプレノイド化合物を修飾する酵素をコードするヌクレオチド配列を含む単離されたポリヌクレオチド。
【手続補正書】
【提出日】平成21年8月17日(2009.8.17)
【手続補正１】
【補正対象書類名】特許請求の範囲
【補正対象項目名】全文
【補正方法】変更
【補正の内容】
【特許請求の範囲】
【請求項１】
ヒトrRNAまたはrDNAヌクレオチド配列中のヌクレオチド配列((G3+)N1-7)3G3+(SEQ ID NO:230)または((C3+)N1-7)3C3+(SEQ ID NO:231)を含む単離された核酸であって、
式中、Gはグアニンであり、Cはシトシンであり、3+は3つまたはそれ以上のヌクレオチドであり、かつNは任意のヌクレオチドであり；
核酸は環状または直線状の核酸であり；かつ
ヌクレオチド配列は100またはそれ未満のヌクレオチド長である、単離された核酸。
【請求項２】
ヒトリボソームヌクレオチド配列を含む核酸に結合する分子を同定する方法であって、
ヒトリボソームヌクレオチド配列を含む核酸および核酸に結合する化合物を、
試験分子と接触させる段階、ここで：
核酸は、ヒトrRNAまたはrDNAヌクレオチド配列中のヌクレオチド配列((G3+)N1-7)3G3+(SEQ ID NO:230)または((C3+)N1-7)3C3+(SEQ ID NO:231)を含み、
Gはグアニンであり、Cはシトシンであり、3+は3つまたはそれ以上のヌクレオチドであり、かつNは任意のヌクレオチドであり；
核酸は環状または直線状の核酸であり；かつ
ヌクレオチド配列は100またはそれ未満のヌクレオチド長であり；ならびに
核酸に結合したかまたは結合しなかった化合物の量を検出する段階
を含み、
それによって、試験分子の非存在下よりも試験分子の存在下においてより少ない化合物が核酸に結合する場合に、試験分子が、ヒトリボソームヌクレオチド配列を含む核酸に結合する分子として同定される、方法。
【請求項３】
リボソーム核酸と、該核酸と相互作用するタンパク質との間の相互作用を調節する分子を同定する方法であって、
タンパク質に結合し得るヒトリボソームヌクレオチド配列を含む核酸およびタンパク質と試験分子を接触させる段階、ここで：
核酸は、ヒトrRNAまたはrDNAヌクレオチド配列中のヌクレオチド配列((G3+)N1-7)3G3+(SEQ ID NO:230)または((C3+)N1-7)3C3+(SEQ ID NO:231)を含み、
Gはグアニンであり、Cはシトシンであり、3+は3つまたはそれ以上のヌクレオチドであり、かつNは任意のヌクレオチドであり；
核酸は環状または直線状の核酸であり；かつ
ヌクレオチド配列は100またはそれ未満のヌクレオチド長であり；ならびに
タンパク質に結合したかまたは結合しなかった核酸の量を検出する段階
を含み、
それによって試験分子の非存在下よりも試験分子の存在下において異なる量の核酸がタンパク質に結合する場合に、試験分子が相互作用を調節する分子として同定される、方法。
【請求項４】
核酸合成の調節因子を同定する方法であって、
プライマーオリゴヌクレオチドが鋳型核酸にハイブリダイズするのを可能にする条件下で、ヒトリボソームヌクレオチド配列を含む、標的配列を有する鋳型核酸を、鋳型核酸ヌクレオチド配列に対して相補的なヌクレオチド配列を有する1つまたは複数のプライマーオリゴヌクレオチド、伸長ヌクレオチド、ポリメラーゼ、および試験分子と接触させる段階、ならびに
1つまたは複数のプライマー核酸の伸長によって合成された、標的配列を含む伸長産物の有無または量を検出する段階
を含み、
それによって試験分子の非存在下よりも試験分子の存在下においてより少ない伸長プライマー産物が合成される場合に、試験分子が核酸合成の調節因子として同定される、方法。
【請求項５】
ヒトリボソームDNAもしくはRNA中の((G3+)N1-7)3G3+(SEQ ID NO:230)もしくは((C3+)N1-7)3C3+(SEQ ID NO:231)、またはその相補体を含むヌクレオチド配列中の標的配列に特異的にハイブリダイズするプローブオリゴヌクレオチドを含む組成物であって、：
式中、Gはグアニンであり、Cはシトシンであり、3+は3またはそれ以上のヌクレオチドであり、かつNは任意のヌクレオチドであり、かつ
プローブオリゴヌクレオチドが検出可能な標識を含む、組成物。
【請求項６】
リボソームRNA(rRNA)合成を調節する分子を同定する方法であって、
細胞を試験分子と接触させる段階、
rRNAを、rRNAの一部を増幅する1つまたは複数のプライマーおよび増幅産物にハイブリダイズする標識プローブと接触させる段階、
標識プローブのハイブリダイゼーションによって増幅産物の量を検出する段階
を含み、
それによって増幅産物の量を減少または増加させる試験分子がrRNA合成を調節する分子として同定される、方法。
【手続補正書】
【提出日】平成21年8月7日(2009.8.7)
【手続補正１】
【補正対象書類名】特許請求の範囲
【補正対象項目名】全文
【補正方法】変更
【補正の内容】
【特許請求の範囲】
【請求項１】
アミノ酸残基数１９６の長さのＳＥＱ ＩＤ ＮＯ：２のポリペプチド配列、またはその自然発生的な対立遺伝子多型と、担体とを含む抗真菌薬剤標的。
【請求項２】
アミノ酸残基数１９６の長さのＳＥＱ ＩＤ ＮＯ：２のポリペプチド配列、またはその自然発生的な対立遺伝子多型と、担体とを含むカンジダ感染症の治療用組成物。
【請求項３】
欠失によりＳＥＱ ＩＤ ＮＯ：１の核酸配列を修飾して、アミノ酸残基数１９６の長さのＳＥＱ ＩＤ ＮＯ：２のアミノ酸配列、またはその自然発生的な対立遺伝子多型を含む、単離されたポリペプチドを得る方法であって、該方法が、
ａ．それぞれ約９３〜９４個のヌクレオチド長の２種類のプライマーを生成する工程であって、
前記プライマーが、
ＳＥＱ ＩＤ ＮＯ：１のオープンリーディングフレームのＡＴＧのすぐ上流に位置する７０個のヌクレオチドに対応するフォーワードプライマーの５’末端配列と、ｐＵＣｆプライマー配列に対応する残りの配列と、
ＳＥＱ ＩＤ ＮＯ：１のオープンリーディングフレームの終止コドンＴＡＡのすぐ下流に位置する７０個のヌクレオチド配列に対応するdis（リバース）プライマーの５’末端配列と、
ｐＵＣｒプライマー配列に対応する残りの配列と、
を含む、工程と、
ｂ．２種類の栄養マーカー遺伝子ＵＲＡ３およびＡＤＥ２を増幅する工程と、
ｃ．ＷＴ株ＣＡＩ８内でＵＲＡ３およびＡＤＥ２を用いて産生させたＰＣＲ産生物を形質転換する工程と、
ｄ．前記形質転換細胞を単離する工程と、
を有してなる方法。
【請求項４】
請求項３記載の方法によって得られた、アミノ酸残基数１９６の長さのＳＥＱ ＩＤ ＮＯ：２のアミノ酸配列、またはその自然発生的な対立遺伝子多型を含む、単離されたポリペプチド。
【請求項５】
前記多型が、一塩基多型の翻訳であることを特徴とする請求項４記載のポリペプチド。
【請求項６】
前記ポリペプチドがＳＥＱ ＩＤ ＮＯ：２の変異体であり、選択された配列に特異的な任意のアミノ酸が変更されて、同類置換を提供することを特徴とする請求項５記載のポリペプチド。
【請求項７】
ＳＥＱ ＩＤ ＮＯ：２のアミノ酸配列を含むポリペプチドをエンコードする核酸配列であるＳＥＱ ＩＤ ＮＯ：１を含む、単離された核酸分子。
【請求項８】
前記核酸分子が、核酸の自然発生的な対立遺伝子多型であるヌクレオチド配列を含むことを特徴とする請求項７記載の核酸分子。
【請求項９】
前記核酸分子が、ＳＥＱ ＩＤ ＮＯ：１の一塩基多型を含むことを特徴とする請求項８記載の核酸分子。
【請求項１０】
前記核酸分子が、ＳＥＱ ＩＤ ＮＯ：１のヌクレオチド配列を含むことを特徴とする請求項９記載の核酸分子。
【請求項１１】
前記核酸分子が、ストリンジェントな条件下で、ＳＥＱ ＩＤ ＮＯ：１またはその相補体によって与えられるヌクレオチド配列とハイブリッドすることを特徴とする請求項７記載の核酸分子。
【請求項１２】
ＳＥＱ ＩＤ ＮＯ：２のアミノ酸配列を含むポリペプチドをエンコードする、ＳＥＱ ＩＤ ＮＯ：１の核酸配列を含むベクター。
【請求項１３】
請求項１２に記載のベクターを含む変異宿主細胞。
【手続補正書】
【提出日】平成21年4月1日(2009.4.1)
【手続補正１】
【補正対象書類名】特許請求の範囲
【補正対象項目名】全文
【補正方法】変更
【補正の内容】
【特許請求の範囲】
【請求項１】
患者におけるＨＥＲ二量体化阻害剤での治療に対する応答を予測する方法であって、
ａ）患者由来の血清である生体試料において、
−トランスフォーミング増殖因子αマーカー遺伝子によりコードされるマーカータンパク質、あるいは
−マーカー遺伝子によりコードされるマーカータンパク質の組み合わせであって、
−トランスフォーミング増殖因子α及びＨＥＲ２マーカー遺伝子、
−トランスフォーミング増殖因子α及び上皮増殖因子遺伝子、
−アンフィレグリン及びトランスフォーミング増殖因子αマーカー遺伝子、
−トランスフォーミング増殖因子α、上皮増殖因子及びＨＥＲ２マーカー遺伝子、
−アンフィレグリン、上皮増殖因子及びトランスフォーミング増殖因子αマーカー遺伝子、
−アンフィレグリン、トランスフォーミング増殖因子α及びＨＥＲ２マーカー遺伝子、
−上皮増殖因子、トランスフォーミング増殖因子α及びＨＥＲ２マーカー遺伝子、及び
−アンフィレグリン、上皮増殖因子、トランスフォーミング増殖因子α及びＨＥＲ２マーカー遺伝子
によりコードされるマーカータンパク質から成る組み合わせ、を評価する工程、そして
ｂ）工程ａ）の結果を評価することにより、患者におけるＨＥＲ二量体化阻害剤による治療に対する応答を予測する工程、
を含んで成る方法。
【請求項２】
前記マーカー遺伝子によりコードされるマーカータンパク質又はマーカー遺伝子によりコードされるマーカータンパク質の組み合わせを評価するための工程ａ）が、
ａ１）マーカー遺伝子によりコードされるマーカータンパク質又はマーカー遺伝子によりコードされるマーカータンパク質の組み合わせの発現レベルを評価する工程、
ａ２）工程ａ１）において評価された発現レベルが閾値以上であるか、又は閾値以下であるかを測定する工程、を含んで成る請求項１に記載の方法。
【請求項３】
前記閾値が、
１）ＨＥＲ二量体化阻害剤での治療の前に複数の患者由来の血清である生体試料中のマーカー遺伝子によりコードされるマーカータンパク質又はマーカー遺伝子によりコードされるマーカータンパク質の組み合わせの発現レベルを評価する工程、
２）ＨＥＲ二量体化阻害剤で治療した患者の応答と、工程ａ）において測定したマーカー遺伝子によりコードされるマーカータンパク質又はマーカー遺伝子によりコードされるマーカータンパク質の組み合わせの発現レベルを相関させ、これにより閾値を決定する工程、により請求項２に記載の工程ａ１）の前に決定される請求項２に記載の方法。
【請求項４】
前記ＨＥＲ二量体化阻害剤が、ＨＥＲ２とＥＧＦＲ又はＨＥＲ３のヘテロ二量体形成を阻害する、請求項１〜３のいずれか一項に記載の方法。
【請求項５】
前記ＨＥＲ二量体化阻害剤が、抗体、好ましくは抗体２Ｃ４である、請求項４に記載の方法。
【請求項６】
前記患者が、癌患者、好ましくは、乳癌、卵巣癌、肺癌又は前立腺癌患者である、請求項１〜５のいずれか一項に記載の方法。
【請求項７】
試料中のマーカー遺伝子によりコードされるマーカータンパク質又はマーカー遺伝子によりコードされるマーカータンパク質の組み合わせの発現レベルが、マーカー遺伝子によりコードされるマーカータンパク質のフラグメント又はマーカータンパク質のフラグメントの組み合わせの発現レベルを検出することにより評価される、請求項２〜６のいずれか一項に記載の方法。
【請求項８】
前記マーカータンパク質又はそのフラグメント、あるいはマーカータンパク質又はそのフラグメントの組み合わせの発現レベルが、マーカータンパク質又はそのフラグメント、あるいはマーカータンパク質又はそのフラグメントの組み合わせと特異的に結合する試薬を使用して検出される、請求項２〜７のいずれか一項に記載の方法。
【請求項９】
前記試薬が、抗体、抗体のフラグメント又は抗体誘導体から成る群から選択される、請求項８に記載の方法。
【請求項１０】
前記発現レベルが、プロテオミクス、フローサイトメトリー、免疫細胞化学的検査、免疫組織化学的検査、酵素結合免疫吸着測定法、マルチチャネル酵素結合免疫吸着測定法から成る群から選択される方法を使用して測定される、請求項２〜９のいずれか一項に記載の方法。
【請求項１１】
前記マーカータンパク質のフラグメントが、Ｈｅｒ２マーカータンパク質の細胞外ドメインである、請求項５〜１０のいずれか一項に記載の方法。
【請求項１２】
前記Ｈｅｒ２マーカータンパク質の細胞外ドメインが、約１０５，０００ダルトンの分子量を有する、請求項１１に記載の方法。
【請求項１３】
前記アンフィレグリンマーカータンパク質のアミノ酸配列が、アミノ酸配列番号１であるか、
前記上皮増殖因子マーカータンパク質のアミノ酸配列が、アミノ酸配列番号２であるか、
前記トランスフォーミング増殖因子αマーカータンパク質のアミノ酸配列が、アミノ酸配列番号３であるか、あるいは
前記ＨＥＲ２マーカータンパク質のアミノ酸配列が、アミノ酸配列番号４である、
請求項１〜１２のいずれか一項に記載の方法。
【請求項１４】
前記血清中の閾値が、
−トランスフォーミング増殖因子αマーカータンパク質について、２．０〜５．０ｐｇ／ｍｌ、好ましくは約３．５ｐｇ／ｍｌであり、
−上皮増殖因子マーカータンパク質について、１００〜２５０ｐｇ／ｍｌ、好ましくは約１５０ｐｇ／ｍｌであり、あるいは
−アンフィレグリンマーカータンパク質について、６〜１５ｐｇ／ｍｌ、好ましくは約１２ｐｇ／ｍｌである、
請求項２〜１３のいずれか一項に記載の方法。
【請求項１５】
前記Ｈｅｒ２マーカータンパク質の細胞外ドメインについての血清中の閾値が、１２〜２２ｎｇ／ｍｌ、好ましくは約１８ｎｇ／ｍｌである、請求項２〜１３のいずれか一項に記載の方法。
【請求項１６】
患者における抗体２Ｃ４による治療に対する応答を予測するための、トランスフォーミング増殖因子α又はＨＥＲ２マーカータンパク質と結合する抗体の使用。